(57)【特許請求の範囲】
【請求項１】
垂直に移動可能なエレベータ装置の構成要素であって、
頂部と、
底部と、
頂部と底部との間で垂直に方向づけられ、少なくとも１つの側部がローラガイド支持シートを含む複数の側部と、
少なくとも部分的に前記シートの第１の面に配置されるとともに、軸が前記シートに概ね平行となるように該シートによって支持されたローラガイドの第１のローラと、
前記シートの反対側に面する第２の面に配置されるとともに、それぞれの軸が第１のローラの軸に概ね垂直であり、かつそれぞれの軸が前記シートに対して固定位置に保持されるように、該シートによって支持されたローラガイドの第２および第３のローラと、を備えることを特徴とするエレベータ装置の構成要素。
【請求項２】
前記シートは、該シートの第２の面に第２および第３のローラを固定する取付特徴部を含むことを特徴とする請求項１に記載のエレベータ装置の構成要素。
【請求項３】
前記取付特徴部は、前記シートを貫通する取付孔を含み、１つの取付孔が第２のローラの一部を収容し、他の取付孔が第３のローラの一部を収容することを特徴とする請求項２に記載のエレベータ装置の構成要素。
【請求項４】
前記シートは、各々の取付孔の近傍に、対応するローラのホイール部と、前記シートの第２の面と、の間に所望の距離をあけるボスを含むことを特徴とする請求項３に記載のエレベータ装置の構成要素。
【請求項５】
前記シートは、前記取付特徴部の間に開口部を有し、第１のローラは、第１のローラのホイール部の少なくとも一部が前記シートの第２の面上に露出するように、前記開口部を通って部分的に突出することを特徴とする請求項２に記載のエレベータ装置の構成要素。
【請求項６】
前記シートは、該シートの第１の面から離れる方句に延在する少なくとも1つのローラ支持アームを有し、第１のローラは、該ローラ支持アームによって支持されていることを特徴とする請求項１に記載のエレベータ装置の構成要素。
【請求項７】
前記ローラ支持アームは、前記シートの第１の面から片持ちになっており、前記シートの曲がった部分であることを特徴とする請求項６に記載のエレベータ装置の構成要素。
【請求項８】
前記少なくとも１つの側部は、第２の面から離間されたフランジを備えており、第２および第３のローラが、第２の面と対応する前記フランジの１つとの間にそれぞれ少なくとも部分的に収容されていることを特徴とする請求項１に記載のエレベータ装置の構成要素。
【請求項９】
前記フランジは、前記シートの曲がった部分であることを特徴とする請求項８に記載のエレベータ装置の構成要素。
【請求項１０】
前記構成要素は、エレベータかご室であることを特徴とする請求項１に記載のエレベータ装置の構成要素。
【請求項１１】
前記頂部は、かご室の天井であり、
前記底部は、かご室の床であり、
前記側部は、それぞれかご室の側壁であり、
前記シートの第１の面が少なくとも１つの側壁の内面の少なくとも一部を定めており、反対側に面する第２の面が少なくとも１つの側壁の外面の少なくとも一部を定めていることを特徴とする請求項１０に記載のエレベータ装置の構成要素。
【請求項１２】
前記１つの側壁に対してかご室の反対側にある第２の側壁が、第２のローラガイド支持シートを備えており、
他の第１のローラが、少なくとも部分的に第２のシートの第１の面に配置されるとともに、軸が第２のシートと概ね平行となるように第２のシートに支持されており、
他の第２のローラと他の第３のローラが、第２のシートの反対側に面する第２の面上に、軸が第２のシートに概ね垂直となるように第２のシートにそれぞれ支持されていることを特徴とする請求項１１に記載のエレベータ装置の構成要素。
【請求項１３】
前記かご室は、天井と床の間に垂直範囲を有する内部空間を含み、第２および第３のローラは、かご室の内部の垂直範囲と重なる垂直位置に少なくとも部分的に配置されていることを特徴とする請求項１０に記載のエレベータ装置の構成要素。
【請求項１４】
かご室を支持する枠を備え、前記側部が該枠の垂直材であることを特徴とする請求項１０に記載のエレベータ装置の構成要素。
【請求項１５】
前記構成要素は、釣合いおもりであることを特徴とする請求項１に記載のエレベータ装置の構成要素。
【請求項１６】
エレベータローラガイドアセンブリであって、
シートを貫通する取付孔と、シートから突出する支持アームと、を有するシートと、
少なくとも部分的に前記シートの第１の面に、軸が前記シートに概ね平行となるように前記支持アームによって支持された第１のローラと、
前記取付孔に収容された部分をそれぞれ有する第２のローラと第３のローラと、を備え、前記の部分は、前記シートに対して固定された状態に保持され、第２のローラのホイールおよび第３のローラのホイールが前記シートの反対側に面する第２の面に配置されていることを特徴とするエレベータローラガイドアセンブリ。
【請求項１７】
前記シートは、第１のシートと第２のシートとを含み、第２のシートは、第２のシートを貫通する取付孔と、第２のシートの第１の面から突出する支持アームと、を有し、
第３のローラの前記部分は、第２のシートの取付孔に収容されているとともに、第２のシートに対して固定された状態に保持され、第３のローラのホイールは、第２のシートに概ね垂直な軸を中心に回転可能となっており、
第１のローラは、第２のシートの支持アームによって支持されていることを特徴とする請求項１６に記載のエレベータローラガイドアセンブリ。
【請求項１８】
第１のローラは、第１および第２のシートのそれぞれの支持アームの間に少なくとも部分的に収容されており、第１のローラのホイール部の少なくとも一部が、前記のシートの第２の面上に露出するように、前記のシートの間の間隔を通って部分的に突出していることを特徴とする請求項１７に記載のエレベータローラガイドアセンブリ。
【請求項１９】
前記支持アームは、前記シートの第１の面から片持ちになっており、前記シートの曲がった部分であることを特徴とする請求項１６に記載のエレベータローラガイドアセンブリ。
【請求項２０】
前記シートは、第２の面から離間されたフランジを備えており、第２のローラは、第２の面と前記フランジとの間に少なくとも部分的に収容されていることを特徴とする請求項１６に記載のエレベータローラガイドアセンブリ。
【請求項２１】
前記シートは、前記取付孔の近傍に、第２のローラのホイール部と、前記シートの第２の面と、の間に所望の距離をあけるボスを含むことを特徴とする請求項１６に記載のエレベータローラガイドアセンブリ。
【請求項２２】
床と、
天井と、
床と天井との間に設けられ、少なくとも１つの側壁がローラガイド支持シートを有する複数の側壁と、
少なくとも部分的に前記シートの第１の面に配置され、軸が前記シートと概ね平行となるように前記シートによって支持されたローラガイドの第１のローラと、
前記シートの反対側に面する第２の面上に、それぞれの軸が第１のローラの軸と概ね垂直となるように前記シートによって支持されたローラガイドの第２および第３のローラと、を備えることを特徴とするエレベータかご室。
【請求項２３】
第２および第３のローラの軸は、前記シートに対して固定された状態に保持されていることを特徴とする請求項２２に記載のエレベータかご室。
【発明の詳細な説明】
【技術分野】
【０００１】
本発明は、エレベータ装置に関し、特に、エレベータ装置のエレベータローラガイドに関する。
【背景技術】
【０００２】
エレベータ装置は、確実に予定通り動作するように種々の構成要素を含む。ガイドレールに沿ってかごと釣合いおもりの移動を案内するために、なんらかの種類のガイド機構がエレベータかごと釣合いおもりに関連している。多くのエレベータガイド機構は、エレベータかごが上下に移動するときにガイドレールの表面に沿って回転するローラを含む。他のガイド機構は、ガイドレールの表面に沿って摺動する摺動要素を含む。
【０００３】
エレベータガイドとしてローラあるいは摺動要素を選択する周知の理由がある。ローラを含むガイドは典型的により多くの空間を占めるため、空間的制約を有する設備では摺動ガイド要素が典型的に選択される。摺動ガイド要素は、ローラガイドよりも典型的に安価なために選ばれることもある。ローラを含むガイド機構は、高速エレベータで典型的に選択される。ローラガイドを選択する他の理由は、比較的高いレベルの乗り心地を提供するためである。ローラガイドは、さらに、摺動ガイド要素に比べて摩擦損失が少ないので、エネルギ消費量を減少させる。
【発明の概要】
【発明が解決しようとする課題】
【０００４】
エレベータ装置および構成要素の設計者は、エレベータ装置のコストを減少させるとともに、より厳しい空間的制約にエレベータ装置の構成要素を適合させるという継続的な課題に直面している。多くの状況では、大幅な革新がなければこのような目標は両立せず、実現できないと考えられる。
【課題を解決するための手段】
【０００５】
垂直移動可能なエレベータ装置の例示的な構成要素は、頂部と、底部と、頂部と底部との間で垂直に方向づけられた複数の側部と、を含む。少なくとも１つの側部が、ローラガイド支持シートを含む。ローラガイドの第１のローラが、少なくとも部分的にシートの第１の面に配置され、かつ軸がシートと概ね平行となるようにシートによって支持される。第２および第３のローラが、シートの反対側に面する第２の面に配置されるようにシートによって支持される。第２および第３のローラのそれぞれの軸は、第１のローラの軸に概ね垂直である。第２および第３のローラのそれぞれの軸は、シートに対して固定位置に保持される。
【０００６】
例示的なエレベータローラガイドアセンブリは、シートを貫通する取付孔とシートから突出する支持アームを有するローラガイド支持シートを含む。第１のローラが、支持アームによって少なくとも部分的にシートの第１の面に支持される。第１のローラの軸は、シートに概ね平行である。第２のローラが、シートに対して固定状態に保持されるように取付孔に収容される第２の部分を有する。第２のローラのホイールは、シートの反対側に面する第２の面上にある。第２のローラのホイールは、シートに対して概ね垂直な軸を中心に回転可能となっている。
【０００７】
例示的なエレベータかご室は、床と天井を含む。複数の側壁が床と天井との間に延在する。少なくとも１つの側壁は、ローラガイド支持シートを含む。ローラガイドの第１のローラが、少なくとも部分的にシートの第１の面に配置されるようにシートによって支持される。第１のローラの軸は、シートに概ね平行である。ローラガイドの第２および第３のローラが、シートの反対側に面する第２の面に配置されるようにシートによって支持される。第２および第３のローラのそれぞれの軸は、第１のローラの軸に概ね垂直である。
【０００８】
開示された例の種々の特徴および利点は、以下の詳細な説明によって当業者に明らかとなる。詳細な説明に付随する図面は、以下のように簡単に説明される。
【図面の簡単な説明】
【０００９】
【図１Ａ】本発明の実施例に従って設計されたローラガイドアセンブリを含む、エレベータかご室の選択された部分の概略説明図である。
【図１Ｂ】１つの位置から見たローラと例示的なエレベータかご室の天井との間の例示的な関係を示す、図１ＡのＢにおける断面図である。
【図１Ｃ】他の位置から見た図１Ｂの例示的な関係を示す、図１ＡのＣにおける断面図である。
【図２】例示的なローラガイドアセンブリの形態を１つの位置から見た斜視図である。
【図３】図２の例を他の位置から見た斜視図である。
【図４】他の例示的実施例のローラガイドアセンブリのローラを支持するように設けられたシートを示す斜視図である。
【図５】図４の例示的なシートと関連するローラガイドアセンブリを１つの位置から見た斜視図である。
【図６】ガイドレールと関連するローラガイドアセンブリを示す図５の例の正面図である。
【図７】他の例示的なローラガイドアセンブリの選択された部分を示す斜視図である。
【図８】本発明の実施例に従って設計されたローラガイドアセンブリを含む釣合いおもりの選択された部分を概略的に示す説明図である。
【発明を実施するための形態】
【００１０】
図１は、エレベータかご室２０の選択された部分を概略的に示す。かご室の構造は、床２２、天井２４および側壁２６，２８を含む。この枠のないかごの例では、かご室２０の各々の側壁２６，２８は、ガイドレール３１に沿ってエレベータかご室２０の移動を案内するために使用されるローラガイドアセンブリ３０を支持する少なくとも１つのシート３２を含む。このシート３２は、かご室２０の垂直材であってもよく、鋼製シートを所望の形状に曲げるとともに／または折りたたむことによって形成可能である。代わりに、かごは、かご室２０を支持する枠（図示省略）を含むことができ、シート３２はこの枠の一部とすることができる。
【００１１】
かご（枠ありまたは枠なし）およびガイドレール３１は、（図示を省略しているが）釣合いおもり、かごおよび／または釣合いおもりを懸吊および駆動するローピングおよびローピングを移動させてかごおよび／または釣合いおもりを搬送するために駆動綱車を駆動するマシンを含むことができるエレベータ装置の一部でありうる。
【００１２】
ローラガイドアセンブリ３０は、対応する側壁２６，２８の一部を定めるシート３２の一方の面に少なくとも部分的に配置された第１のローラ３４をそれぞれ含む。この例では、シート３２は、シート３２が位置する側壁に沿った対応する位置において、第１の面がエレベータかご室２０の内面を定めるように設けられる。第１のローラ３４は、この例においてシートの第１の面に少なくとも部分的に配置される。シート３２の第２の面は外側に面し、エレベータかご室２０の側壁の対応する部分の外面を定める。
【００１３】
各々のローラガイドアセンブリ３０は、シート３２によってシートの第２の面に支持された第２のローラ３６と第３のローラ３８とを含む。例示的なシート３２は、開口部４０を含み、第１のローラ３４がガイドレールの対応する面を追従することができるように、各々の第１のローラの少なくともホイールの一部が開口部４０を通って突出する。
【００１４】
図示の例の１つの特徴は、ローラガイドアセンブリが、エレベータかご室２０と対応するガイドレール３１との間で、少なくとも部分的にかご室２０の側面に配置されていることである。これは、ローラガイドアセンブリが完全にエレベータかご室の上または下に取り付けられた従来の構成とは異なる。例えば、第２のローラ３６と第３のローラ３８は、エレベータかご室２０の床２２と天井２４との間の垂直位置に少なくとも部分的に配置される。ローラガイドアセンブリをこのように配置することで、エレベータ装置内の空間が節約される。図示の例では、ローラガイドアセンブリ全体をエレベータかご室の上または下に配置する必要なく、３つのローラを含むローラガイドアセンブリを使用することができる。ガイド機構のためにこのような位置を提供する多くの試みでは、エレベータかご室の側面とガイドレールとの間の空間的制約のために、ローラの代わりに摺動ガイド要素を使用することが要求された。図示の例では、３つのローラを有するローラガイドアセンブリの利点と空間的節約を同時に実現することができる。
【００１５】
図２，図３を参照すると、１つの例示的な形態は、シート３２に設けられた孔４４に取付部材４２を固定することによって、第２のローラ３６と第３のローラ３８をシート３２の１つの面に支持することを含む。この例では、取付部材４２は、フランジ４６，４８にもそれぞれ固定されている。この例のフランジ４６，４８は、シート３２の一部で形成されている。図からわかるように、シート３２の一部が切断されるかまたは打ち抜かれてから曲げられ、ローラ３６，３８がフランジとシート３２の他の部分との間に収容されるようにフランジ４６，４８が位置決めされる。
【００１６】
第１のローラ３４は、シート３２の第１の面から延在する支持アーム５０によって支持され、第１の面は第２のローラ３６と第３のローラ３８が配置される第２の面の反対面である。開口部４０は、第１のローラ３４の一部がシート３２の第２の面を超えて突出することを可能にし、これにより、３つのローラの全てがガイドレール３１の対応する面に接触する位置に設けられる。図示の例では、支持アーム５０は、シート３２に固定された材料片で構成される。これらの材料片は、シート３２によって支持されているので、第１のローラ３４はシート３２によって支持されているということができる。他の例では、支持アーム５０は、シート３２の一部で形成される。
【００１７】
図２，図３に示す機構は、エレベータかご室の両側面の頂部および底部の近傍にそれぞれ配置することができる。ローラガイドアセンブリのローラの支持部をかご室の側壁の一部であるシート３２と一体に設けることによって、エレベータ装置で要求される独立した部品の数が減少する。加えて、かご室にアセンブリ全体を取り付けるために独立したローラガイドアセンブリをエレベータかご室と位置合わせする必要がないため、設置時にコストが削減される。ローラガイド支持構造体をエレベータかご室の側壁のシートの一体部分とすることにより、かご室に対してローラが予め位置決めされ、設置手順が能率化される。
【００１８】
図４は、ローラガイドアセンブリのローラを支持するように設けられたシート３２の他の形態を示している。この例では、図示のシート３２は、エレベータかご室の側壁の部分である比較的大きいシートの一部である。他の例では、図示のシート３２は、エレベータかご室の側壁と結合可能な独立したシートとして形成される。図４の例は、図示のシートが独立したシートである場合に、ローラガイドアセンブリをかご室の側壁に取り付けるためにシート３２をエレベータかご室の側壁の対応する部分に位置決めするのに有用な取付孔５２を含む。
【００１９】
図５，図６は、図４のシート３２を含む完成したローラガイドアセンブリを示している。第１のローラ３４は、支持アーム５０によって支持されており、これらの支持アーム５０は、この例ではシート３２を曲げた部分によって形成されている。図からわかるように、シート３２の一部は、切断されるかまたは打ち抜かれ、シート３２の１つの面に第１のローラ３４用の支持部を構成するように図示の形態に曲げられるか他の方法で形状づけられる。第２のローラ３６と第３のローラ３８は、これらのローラの一部がシート３２に穿孔、打ち抜きまたは他の方法で形成された取付孔４４に収容されたときにシート３２の反対面に収容される。
【００２０】
図示の例は、各々の取付孔４４の近傍にボス５４を含む。ボス５４は、ローラ３６，３８のそれぞれのホイール部５６，５８とシート３２との間に間隔を提供する。ボス５４によって、シート３２とローラのホイール部５６，５８との間に独立したスペーサ要素を設ける必要がなくなる。ボス部分５４を含むことは、上述の例と一貫して、ローラガイドアセンブリの組立および設置をさらに能率化する。
【００２１】
図６に示すように、ローラガイドアセンブリのローラは、エレベータかご室が垂直に移動するに従ってガイドレール３１の表面を追従する。第１のローラ３４は、シート３２の平面に概ね平行な軸６２を中心に回転する。第２のローラ３６は、軸６６を中心に回転し、第３のローラ３８は、軸６８を中心に回転する。軸６６，６８は、シート３２の平面に概ね垂直でかつ第１のローラ３４の軸６２に概ね垂直である。
【００２２】
図６からわかるように、第１のローラ３４の実質的な部分がシート３２の１つの面に支持されていても、ホイール部７０がシート３２の反対側に配置されたガイドレール３１の対応する面と接触できるように、第１のローラ３４のホイール７０の一部が（図４，図５に最もよく示されている）開口部４０を通って突出する。
【００２３】
図７は、ローラガイドアセンブリをエレベータかご室の側面に支持するシート３２の他の形態を示している。この例では、シート３２は、２つのシート部分３２Ａ，３２Ｂを含む。シート部分３２Ａは、例えば、シート３２の１つの面に第１のローラ３４を支持するために設けられた支持アーム５０を含む。取付孔４４が、シート３２の反対面に第２のローラの一部を収容するように設けられている。同様に、シート部分３２Ｂは、支持アーム５０を含み、この支持アーム５０も第１のローラ３４をシート３２の第１の面に支持するために設けられている。第３のローラがシート３２の第２の面に配置されるように、取付孔４４が第３のローラ３８の一部を収容するように設けられている。
【００２４】
図７の例は、開口部４０を含んでおらず、代わりに２つのシート部分３２Ａ，３２Ｂの間に間隔７２を有する。第１のローラ３４のホイールの一部が、シートの第２および第３のローラと同じ側に配置されたガイドレールと接触するように間隔７２を通って突出する。
【００２５】
図７の例は、エレベータかご室の側壁に固定された独立した取付片として使用することができる。他の例では、図７の形態は、かご室の側壁の少なくとも一部を定める比較的大きいシートの部分を含む。
【００２６】
図８は、上述したようなローラガイドアセンブリ３０を有する釣合いおもり８０を示す。釣合いおもりは、頂部８４、底部８６および側部８８を有する枠によって支持されたおもりプレート８２を含む。この例では、釣合いおもり８０の側部８８が、ローラ３４，３６，３８を支持するシート３２を含む。他の例では、独立したシート３２が、釣合いおもり８０の側部８８に固定される。
【００２７】
かご室と釣合いおもりのどちらの案内に使用されるかにかかわらず、例示的なローラガイドアセンブリは、（例えば、エレベータかご室の側壁や垂直材または釣合いおもりの側部である）周囲のエレベータ構成要素の構造体によって支持されるローラガイド支持シート３２を備える。これにより、ローラガイドの支持に例示的なシート３２のようなシートが使用可能となるとともに、シート自体の必要強度が最小化される。いくつかの例では、ローラガイド支持シートは、エレベータ構成要素の構造体の一部である。
【００２８】
異なる例示的な実施例の種々の特徴を開示した。各々の例の特徴は、必ずしもその例だけのものではなく、このような特徴の種々の組み合わせが実現可能である。さらに、単一のエレベータかご室の上部および底部にローラの支持に使用されるシートの構造部分の異なる形態を使用することができる。この説明により、当業者は、開示された例のどのような特徴の組み合わせが彼らの特定の状況の必要性を最もよく満たすかがわかるであろう。
【００２９】
上述の説明は、例示的なものであり、限定的なものではない。当業者に明らかな開示された例の変更および改良は、本発明の趣旨から必ずしも逸脱しない。本発明に与えられる法的保護の範囲は、以下の請求項の検討によってのみ判断される。
【図１Ａ】
0005848825.tif 000002
【図１Ｂ】
0005848825.tif 000003
【図１Ｃ】
0005848825.tif 000004
【図２】
0005848825.tif 000005
【図３】
0005848825.tif 000006
【図４】
0005848825.tif 000007
【図５】
0005848825.tif 000008
【図６】
0005848825.tif 000009
【図７】
0005848825.tif 000010
【図８】
0005848825.tif 000011